(57)【特許請求の範囲】
【請求項１】
便器を洗浄するための洗浄水を貯える洗浄水タンクの排水口に取り付けられる排水弁装置であって、
上記排水口に取り付けられ、その一端に形成される流入口から他端に形成される流出口まで洗浄水を導く流路を内側に形成する排水部本体と、
上記排水部本体の流入口を開閉するための排水弁体と、
上記排水部本体の流路内に突出するように形成され、上記排水部本体を上記洗浄水タンクに固定する固定部と、を有し、
上記固定部と同じ高さにある上記排水部本体の流路の壁面は、下流に向けて上記流路の断面積を拡大するように外側に湾曲する湾曲部を形成しており、
上記排水部本体の流路は、その壁面の上端部から上流の上記流入口に向かう程、流路断面積が拡大されるように形成されていることを特徴とする排水弁装置。
【請求項２】
上記固定部は、上記流路を形成する表面が湾曲状に形成されている請求項１記載の排水弁装置。
【請求項３】
上記排水部本体の流路は、その流路断面積が上記固定部の高さ方向に沿ってほぼ同一になるように上記固定部の表面と上記流路の壁面が湾曲状に形成されている領域を備えている請求項２記載の排水弁装置。
【請求項４】
請求項１乃至３の何れか１項に記載の排水弁装置が上記排水口に取り付けられた上記洗浄水タンクと、この洗浄水タンクが一体的に形成された便器本体と、を有することを特徴とするワンピースの水洗大便器。
【発明の詳細な説明】
【技術分野】
【０００１】
本発明は、排水弁装置、及び、この排水弁装置を備えたワンピースの水洗大便器に係り、特に、便器を洗浄するための洗浄水を貯える洗浄水タンクの排水口に取り付けられる排水弁装置、及び、この排水弁装置を備えたワンピースの水洗大便器に関する。
【背景技術】
【０００２】
従来から、便器を洗浄するための洗浄水を貯える洗浄水タンクの排水口に取り付けられる排水弁装置として、例えば、特許文献１に記載されているように、洗浄水タンク部と便器本体部とが一体的に形成された、いわゆる、ワンピースの水洗大便器の洗浄水タンクの排水口に、排水バルブ本体部の２箇所をボルト等の固定金具で固定するようになっているものが知られている。
また、一般的に、ワンピースの水洗大便器においては、便器の洗浄能力を確保するために、洗浄水タンク部から便器本体部に供給される洗浄水の瞬間流量をできるだけ高く確保する必要があるが、上述した従来の排水弁装置では、排水バルブ本体部の排水流路内に固定金具が配置される構造であるため、その分、排水流路は固定金具が占有する領域の分だけ狭くなる。したがって、洗浄水タンクの排水開始前の初期水位を高く設定して洗浄水のヘッド圧を高く設定したり、排水口の口径を大きく設定したりする等、高い瞬間流量を確保するための様々な設計上の工夫が便器本体部や洗浄水タンク部においてなされている。
一方、従来の水洗大便器においては、上述したワンピースの水洗大便器の形態以外にも、洗浄水タンクと便器本体とが予め別々の部品として形成された後に両者が組み付けられる、いわゆる、ツーピースの水洗大便器の形態についても知られている。
このようなツーピースの水洗大便器では、ワンピースの水洗大便器の形態とは異なり、洗浄水タンクを便器本体に組み付ける前に、予め洗浄水タンクの排水口に排水バルブ本体部を外部から固定部材で固定することができるため、排水流路内に固定金具を配置する必要はなく、便器本体の仕様や使用状況、要求される洗浄能力に応じて、洗浄水タンクを適宜選択して組み付けることができ、便器のデザインの多様化にも対応できるように、洗浄水タンクの排水口の口径を所定の寸法に標準化して、排水弁装置をできるだけ共通化させる等の工夫がなされている。
【先行技術文献】
【特許文献】
【０００３】
【特許文献１】特開２００２−７０１０９号公報
【発明の概要】
【発明が解決しようとする課題】
【０００４】
また、近年では、製造コストを抑えつつ、便器本体或いは洗浄水タンクのデザインの多様化や様々な洗浄性能のニーズに対応するために、ワンピースやツーピースの水洗大便器にかかわらず、洗浄水タンクの排水口の口径等を標準化させて、適用する排水弁装置等を共通化させることが重要な課題となっている。
しかしながら、ワンピースの水洗大便器の洗浄水タンクの排水口の口径をツーピースの水洗大便器の洗浄水タンクの排水口の口径と共通化させた場合、固定金具により排水流路が狭くなるという問題が避けられず、固定金具を排水流路内に設けていない場合と比べて、洗浄水の瞬間流量が低下し、便器の洗浄性能が十分に確保することができないため、ワンピースとツーピースのそれぞれの水洗大便器に対して、共通の排水弁装置を適用することが難しいという問題がある。
【０００５】
そこで、本発明は、上述した従来技術の問題点を解決するためになされたものであり、洗浄水タンクから便器に高い瞬間流量の洗浄水を供給することができ、便器の洗浄性能を向上させることができると共に、種々の便器や洗浄水タンクに対しても共通化させて適用することができる排水弁装置を提供することを目的としている。
【課題を解決するための手段】
【０００６】
上記の目的を達成するために、本発明は、便器を洗浄するための洗浄水を貯える洗浄水タンクの排水口に取り付けられる排水弁装置であって、上記排水口に取り付けられ、その一端に形成される流入口から他端に形成される流出口まで洗浄水を導く流路を内側に形成する排水部本体と、上記排水部本体の流入口を開閉するための排水弁体と、上記排水部本体の流路内に突出するように形成され、上記排水部本体を上記洗浄水タンクに固定する固定部と、を有し、上記固定部と同じ高さにある上記排水部本体の流路の壁面は、下流に向けて上記流路の断面積を拡大するように外側に湾曲する湾曲部を形成しており、上記排水部本体の流路は、その壁面の上端部から上流の上記流入口に向かう程、流路断面積が拡大されるように形成されていることを特徴としている。
このように構成された本発明においては、固定部が排水部本体の流路内に突出するように形成されていても、固定部と同じ高さにある排水部本体の流路の壁面が下流に向けて流路の断面積を拡大するように外側に湾曲する湾曲部を形成していることにより、排水部本体の流路内を通過する洗浄水の瞬間流量について、排水部本体の流路内に固定部が設けられておらず且つその流路の断面積がほぼ一定である別の排水部本体を洗浄水タンクの同一径の排水口に取り付けた場合とほぼ等しい瞬間流量を確保することができる。
また、排水部本体の流路内に固定部が設けられていても、流路の壁面に湾曲部が形成されていない更なる別の排水部本体と比べても、湾曲部によって形成される流路スペースによって排水部本体の流路を流れる洗浄水の瞬間流量を大きく設定することもできる。
したがって、洗浄水タンクから排水部本体の流路内に流入した洗浄水を便器に効率的に供給することができ、便器の洗浄性能を向上させることができる。
さらに、本発明の排水弁装置によれば、排水部本体の流路内に固定部が設けられていない別の排水部本体が本来取り付けられる洗浄水タンクの排水口や、排水部本体の流路内に固定部が設けられていても、流路の壁面に湾曲部が形成されていない更なる別の排水部本体が本来取り付けられる洗浄水タンクの排水口に対しても、同一径の排水口であれば、本発明の排水弁装置の排水部本体を簡単に取り付けることができる。
したがって、これらの別の排水部本体を排水口に取り付けた場合と比べても、洗浄水タンクから排水部本体の流路を経て便器に供給する洗浄水の瞬間流量を低下させることなく、比較的高い瞬間流量を確保することができる。よって、種々の便器や洗浄水タンクに対しても排水弁装置を共通化させて適用することができ、使い勝手がよい。
また、排水部本体の流路が、その壁面の上端部から上流の流入口に向かう程、流路断面積が拡大されるように形成されているため、洗浄水タンク内の洗浄水が排水部本体の流入口から流路内に流入する際に、流入口から流路の壁面に沿って剥離することなく滑らかに流れることができる。
したがって、洗浄水タンクから排水部本体の流路を経て便器に比較的高い瞬間流量の洗浄水を供給することができ、便器の洗浄性能を向上させることができる。
【０００７】
本発明において、好ましくは、上記固定部は、上記流路を形成する表面が湾曲状に形成されている。
このように構成された本発明においては、排水部本体の流路を形成する固定部の表面が湾曲状に形成されているため、洗浄水タンク内の洗浄水が排水部本体の流入口から流路内に流入し、固定部の湾曲状の表面を通過する際、洗浄水が固定部の湾曲状の表面に沿って剥離することなく滑らかに流れることができる。よって、洗浄水タンクから便器に比較的高い瞬間流量の洗浄水を供給することができる。したがって、排水部本体の流路内に固定部が形成されていても、洗浄水タンクから排水部本体の流路内に流入して固定部を通過する洗浄水の流れが阻害されることなく、便器に比較的高い瞬間流量の洗浄水を供給することができ、便器の洗浄性能を向上させることができる。
【０００８】
本発明において、好ましくは、上記排水部本体の流路は、その流路断面積が上記固定部の高さ方向に沿ってほぼ同一になるように上記固定部の表面と上記流路の壁面が湾曲状に形成されている領域を備えている。
このように構成された本発明においては、排水部本体の流路が、固定部の高さ方向に沿って流路断面積がほぼ同一になるように固定部の表面と流路の壁面が湾曲状に形成されている領域を備えているため、排水部本体の流路内に固定部が形成されていても、洗浄水が湾曲状の固定部の表面や湾曲状の流路の壁面に沿って剥離することなく滑らかに流れることができ、比較的高い瞬間流量を確保することができる。したがって、洗浄水タンクから排水部本体の流路を経て便器に比較的高い瞬間流量の洗浄水を供給することができ、便器の洗浄性能を向上させることができる。
【００１０】
つぎに、本発明は、上記排水弁装置が上記排水口に取り付けられた上記洗浄水タンクと、この洗浄水タンクが一体的に形成された便器本体と、を有することを特徴とするワンピースの水洗大便器である。
このように構成された本発明においては、洗浄水タンクから便器本体に比較的高い瞬間流量の洗浄水を供給することができ、便器の洗浄性能を向上させることができる。
【発明の効果】
【００１１】
本発明の排水弁装置によれば、洗浄水タンクから便器に高い瞬間流量の洗浄水を供給することができ、便器の洗浄性能を向上させることができると共に、種々の便器や洗浄水タンクに対しても共通化させて適用することができる。
【図面の簡単な説明】
【００１２】
【図１】本発明の一実施形態による排水弁装置が適用されたワンピースの水洗大便器の斜視図である。
【図２】本発明の一実施形態による排水弁装置が適用されたワンピースの水洗大便器の側面断面図である。
【図３】本発明の一実施形態による排水弁装置が適用されたワンピースの水洗大便器の洗浄水タンク部について、貯水タンクの上蓋及び前側壁面を省略して内部構造を前方斜め上方から見た斜視図である。
【図４】本発明の一実施形態による排水弁装置を示す正面図である。
【図５】本発明の一実施形態による排水弁装置を示す正面断面図である。
【図６】図４のＶＩ−ＶＩ線に沿って見た断面図である。
【図７】図４のＶＩＩ−ＶＩＩ線に沿って見た断面図である。
【図８】図５に示す本発明の一実施形態による排水弁装置の下方部分を拡大した拡大断面図である。
【図９】本発明の一実施形態による排水弁装置の固定部を斜め上方から見た斜視図である。
【図１０】本発明の一実施形態による排水弁装置の固定部を部分的に拡大した部分拡大縦断面図である。
【図１１】本発明の一実施形態による排水弁装置の排水部本体部材の流路と固定部を部分的に拡大した部分拡大正面断面図である。
【図１２】本発明の一実施形態による排水弁装置を用いて排水部本体部材の排水流路の流出口の流路断面積と瞬間流量との関係を実験的に調べた結果を定性的に示した図である。
【発明を実施するための形態】
【００１３】
つぎに、添付図面により、本発明の一実施形態による排水弁装置について説明する。
まず、図１及び図２により、本発明の一実施形態による排水弁装置が適用されるワンピースの水洗大便器について説明する。
図１は、本発明の一実施形態による排水弁装置が適用されたワンピースの水洗大便器の斜視図であり、図２は、本発明の一実施形態による排水弁装置が適用されたワンピースの水洗大便器の側面断面図である。
【００１４】
図１及び図２に示すように、本発明の一実施形態による排水弁装置１が適用されたワンピースの水洗大便器２は、便器本体部４と、この便器本体部４の上面後方に一体的に形成された洗浄水タンク部６とを備えている。洗浄水タンク部６は、便器を洗浄するための洗浄水を貯える貯水タンク８を備えている。また、この貯水タンク８の底部８ａには、上下方向に貫く排水口１０が設けられている。この排水口１０は、より厳密には、詳細は後述する本実施形態の排水弁装置１が取り付けられる貯水タンク８の底部８ａの取付穴８ｂに相当している。
【００１５】
水洗大便器２の便器本体部４は、その前方側に設けられたボウル部１２と、このボウル部１２の上縁に形成されたリム部１４と、このリム部１４の内周に形成された棚部１６とを備えている。
また、便器本体部４のボウル部１２の底部には、排水トラップ管路１８の入口１８ａが開口し、この排水トラップ管路１８は、上方に延びる上昇管１８ｂと、下方に延びる下降管１８ｃを備えている。この排水トラップ管路１８の形状から分かるように、本実施形態による水洗大便器２は、サイホン作用を利用してボウル部内の汚物を吸い込んで排水トラップ管路から一気に外部に排出する、いわゆる、サイホン式の水洗大便器である。
なお、水洗大便器２としては、サイホン式の水洗大便器に限定されず、ボウル部内の水の落差による流水作用で汚物を押し流す、いわゆる、洗い落し式の水洗大便器等の他のタイプの水洗便器にも適用可能である。
【００１６】
つぎに、便器本体部４は、洗浄水タンク部６の排水口１０から排出される洗浄水が流入する導水路２０と、リム部１４の前方から見て左側中央に形成された第１リム吐水口２２と、リム部１４の前方から見て右側後方に形成された第２リム吐水口２４（図１参照）とを備えている。
また、導水路２０は、下流に向かってリム部１４の後壁面１４ａ付近の分岐領域２０ａまで延びた後、この分岐領域２０ａから第１リム吐水口２２まで延びる第１導水路２０ｂと、分岐領域２０ａから第２リム吐水口２４まで延びる第２導水路２０ｃと備えており、導水路２０の洗浄水は、分岐領域２０ａから第１導水路２０ｂを経て第１リム吐水口２２に到達する一方、分岐領域２０ａから第２導水路２０ｃを経て第２リム吐水口２４に到達し、第１リム吐水口２２及び第２リム吐水口２４のそれぞれから吐水され、ボウル部１２が洗浄され、汚物が排水トラップ管路１８から排出されるようになっている。
【００１７】
つぎに、図２及び図３により、本発明の一実施形態による排水弁装置が適用されたワンピースの水洗大便器の洗浄水タンク部の内部構造について説明する。
図３は、本発明の一実施形態による排水弁装置が適用されたワンピースの水洗大便器の洗浄水タンク部について、貯水タンクの上蓋及び前側壁面を省略して内部構造を前方斜め上方から見た斜視図である。
図２及び図３に示すように、本発明の一実施形態による排水弁装置１が適用されたワンピースの水洗大便器２の洗浄水タンク部６の貯水タンク８内には、この貯水タンク８内に洗浄水を供給する給水装置２６と、貯水タンク８に貯えられた洗浄水について排水口１０を開放して便器本体部４の導水路２０に流出させる、詳細は後述する排水弁装置１が設けられている。この排水弁装置１は、操作装置２８の操作レバー３０の操作により１本の操作ワイヤ３２が引き上げられることによって弁体３４が上昇して貯水タンク８の排水口１０が開放される、いわゆる、ワイヤ駆動式の直動型の排水弁装置である。
【００１８】
また、給水装置２６は、外部の給水源（図示せず）に接続され且つ貯水タンク８の底部から上方に延びるように設けられた給水管３６と、この給水管３６の上端部に取り付けられ、給水管３６から給水される洗浄水の貯水タンク８内への吐水と止水を切り替える給水バルブ３８と、貯水タンク８内の水位の変動に応じて上下動して給水バルブ３８による吐水と止水を切り替えるフロート４０とを備えている。
【００１９】
給水管３６の外周側下端部には、複数の吐水口４２が形成され、給水バルブ３８を通過した洗浄水が吐水口４２から貯水タンク８内に吐水されるようになっている。
また、給水装置２６においては、排水弁装置１により、貯水タンク８内の洗浄水が便器に排水されると、洗浄水の水位が低下してフロート４０が下降し、それにより給水バルブ３８が開き、吐水口４２からの吐水が開始され、洗浄水タンク部６の外部の給水源（図示せず）から貯水タンク８内への吐水が開始されるようになっている。
さらに、吐水が継続されて貯水タンク８内の水位が上昇すると、フロート４０が上昇し、それにより給水バルブ３８が閉鎖され、吐水口４２からの吐水が止水されるようになっている。これにより、貯水タンク８内の洗浄水の水位が満水時の所定水位（以下「満水水位Ｗ０」）に維持されるようになっている。ここで、満水水位Ｗ０は、実質的には、排水開始前の貯水タンク８内の初期水位にも相当している。
なお、給水装置２６は、本実施形態では説明を省略するが、リフィール管（図示せず）等を備えており、このリフィール管（図示せず）から流出する一部の洗浄水が、オーバーフロー管４４内に流れ込み、便器本体部４の導水路２０を経て補給水としてボウル部１２内に供給されることができるようになっている。
【００２０】
また、図３に示すように、排水弁装置１の動作を操作する操作装置２８は、貯水タンク８の外部に取り付けられた操作レバー３０と、貯水タンク８の内部に設けられて操作レバー３０に連結されるワイヤ巻取り装置４６を備えている。このワイヤ巻取り装置４６は、操作レバー３０が手動により回転操作されたときの回転力がワイヤ巻取り装置４６のケーシング４６ａ内のプーリやギヤ等の回転機構部材（図示せず）に伝達されるようになっている。また、ワイヤ巻取り装置４６と排水弁装置１とは、操作ワイヤ３２によって互いに連結されており、操作装置２８の操作レバー３０を手動で回転操作することにより、ワイヤ巻取り装置４６を介して１本の操作ワイヤ３２が引き上げられ、弁体３４が上昇して貯水タンク８の排水口１０が開放されるようになっている。
【００２１】
なお、本実施形態では、操作装置２８の操作レバー３０を手動で回転操作することによりワイヤ巻取り装置４６を操作し、操作ワイヤ３２の引き上げ操作が可能な例について説明するが、操作レバー３０の代わりに押しボタンのようなものを採用してもよいし、操作レバーを回動させるためのモータ等の駆動手段を設け、操作装置の操作レバーやワイヤ巻取り装置を電動で駆動させるような形態にしてもよい。また、外部に設定された操作ボタン又は人感センサーからの指令信号によって駆動手段の作動を自動的に制御するような操作形態にしてもよい。
【００２２】
つぎに、図１〜図１１を参照して、本発明の一実施形態による排水弁装置の詳細について説明する。
まず、図４は、本発明の一実施形態による排水弁装置を示す正面図であり、図５は、本発明の一実施形態による排水弁装置を示す正面断面図である。また、図６は、図４のＶＩ−ＶＩ線に沿って見た断面図であり、図７は、図４のＶＩＩ−ＶＩＩ線に沿って見た断面図である。さらに、図８は、図５に示す本発明の一実施形態による排水弁装置の下方部分を拡大した拡大断面図である。
【００２３】
図３〜図８に示すように、本実施形態の排水弁装置１は、貯水タンク８の底部８ａの取付穴８ｂに取り付けられ且つ便器本体部４の導水路２０に連通する排水口１０を形成する排水部本体部材４８を備えている。この排水部本体部材４８の側方には、上下方向に延びるオーバーフロー管４４が設けられており、このオーバーフロー管４４内の下方流路４４ａの下流側端部は、排水部本体部材４８の内側に形成されている排水流路５０と連通している。
また、図３〜図８に示すように、排水部本体部材４８は、管状の排水流路５０を形成し且つ貯水タンク８の底部８ａの取付穴８ｂに取り付けられる側壁部５２と、この側壁部５２の外側に所定間隔を置いて環状に形成され且つ貯水タンク８の底部８ａの上側面８ｃに取り付けられるベース部５４を備えている。
さらに、図５及び図８に示すように、側壁部５２とベース部５４との間に形成される環状の空間には、パッキン等のシール部材５６が取り付けられており、このシール部材５６により、ベース部５４の外側の洗浄水が貯水タンク８の底部８ａの取付穴８ｂと側壁部５２の外側面５２ａとの隙間から漏出しないように密封されている。
また、図５及び図８に示すように、排水部本体部材４８の側壁部５２の下端面５２ａは、貯水タンク８の底部８ａの取付穴８ｂに挿入されてシール部材５６の下面よりも下方に延び、貯水タンク８の底部８ａの下側面８ｄとほぼ面一となるように位置し、排水流路５０の流出口５０ａを形成している。
【００２４】
つぎに、図５〜図８に示すように、排水弁装置１は、排水部本体部材４８を貯水タンク８の底部８ａの取付穴８ｂに取り付けた状態で固定する固定部５８を備えている。この固定部５８は、一対の皿ねじ６０，６２を備えている。
また、固定部５８は、排水部本体部材４８の側壁部５２の内側面５２ｃに一体的に形成されて排水流路５０内に突出し且つ各皿ねじ６０，６２の取付穴６４，６６が上下方向に貫くように形成されている一対の皿ねじ取付部６８，７０を備えている。
さらに、固定部５８は、各皿ねじ取付部６８，７０に取り付けられた各皿ねじ６０，６２の下方部分にそれぞれ螺合される一対の固定金具７２，７４を備えている。
図７に示すように、各固定金具７２，７４の外側先端部７２ａ，７４ａは、排水部本体部材４８の側壁部５２よりも外側に位置しており、図８に示すように、各固定金具７２，７４は、排水部本体部材４８の側壁部５２の下端面５２ｂよりも下方に位置している。
また、図６〜図８に示すように、各皿ねじ６０，６２をその中心軸線回りに締め付ける方向に回転させると、各固定金具７２，７４を上昇させるように調整することができるようになっており、各固定金具７２，７４の外側先端部７２ａ，７４ａの上面７２ｂ，７４ｂが貯水タンク８の底部８ａの下側面８ｄに当接することにより、貯水タンク８の底部８ａが上方の排水部本体部材４８のベース部５４と下方の各固定金具７２，７４とによって挟持されるようになっている。そして、このように貯水タンク８の底部８ａが排水部本体部材４８のベース部５４と各固定金具７２，７４とにより挟持された状態で各皿ねじ６０，６２を完全に締め付けると、排水部本体部材４８が貯水タンク８の底部８ａに対して完全に固定されるようになっている。
【００２５】
つぎに、図９は、本発明の一実施形態による排水弁装置の固定部を斜め上方から見た斜視図であり、図１０は、本発明の一実施形態による排水弁装置の固定部を部分的に拡大した部分拡大縦断面図であり、図１１は、本発明の一実施形態による排水弁装置の排水部本体の流路と固定部を部分的に拡大した部分拡大正面断面図である。
図６〜図１１に示すように、各皿ねじ６０，６２が各皿ねじ取付部６８，７０に取り付けられた状態では、各皿ねじ６０，６２の頭部６０ａ，６２ａの各頂点Ａ１，Ａ２から頭部６０ａ，６２ａの外周縁までの全体表面Ｆ１と、各皿ねじ取付部６８，７０表面の上端部Ｂから、ほぼ中央高さ付近で最も内側に張り出している最内部Ｃ１，Ｃ２までの表面Ｆ２が、互いに連続的に湾曲状に形成され、表面Ｆ１と表面Ｆ２の双方全体がほぼ半球面状に形成されている。これにより、図１０及び図１１に洗浄水の流れを矢印Ｗ１で示すように、貯水タンク８内の洗浄水が排水部本体部材４８の流入口５０ｂから排水流路５０内に流入し、固定部５８の湾曲状の表面Ｆ１，Ｆ２を通過する際、洗浄水Ｗ１が固定部５８の湾曲状の表面Ｆ１，Ｆ２に沿って剥離することなく滑らかに流れることができ、貯水タンク８からワンピースの水洗大便器２の便器本体部４に比較的高い瞬間流量Ｑ［Ｌ／ｍｉｎ］の洗浄水を供給することができるようになっている。
【００２６】
また、図６、図８及び図１１に示すように、固定部５８の最内部Ｃ１，Ｃ２と同じ高さ位置Ｐにある排水部本体部材４８の排水流路５０内の固定部５８以外の部分の流路断面積Ｓ１は最小となっているが、これらの最内部Ｃ１，Ｃ２と同じ高さ位置Ｐよりも下流側領域の排水流路５０を形成する側壁部５２の壁面（内側面５２ｃ）においては、固定部５８以外の部分の流路断面積Ｓ２が下流側の流路断面積Ｓ３（Ｓ３＞Ｓ２）の流出口５０ａに向かって徐々に拡大されるように、下方に向かって徐々に外側に末広がりに湾曲する湾曲部７６（下流側湾曲部７６ａ）が形成されている。これにより、固定部５８が排水部本体部材４８の排水流路５０内に突出するように形成されていても、排水部本体部材４８の排水流路５０内を通過する洗浄水の瞬間流量Ｑ［Ｌ／ｍｉｎ］について、比較的高い瞬間流量を確保することができるようになっている。
【００２７】
ちなみに、図８及び図１１に示すように、排水流路５０の側壁部５２の外側面５２ａ及び貯水タンク８の底部８ａの取付穴８ｂの寸法径は、上下方向に沿って一定に設定されており、側壁部５２の外側面５２ａの外径及び貯水タンク８の底部８ａの取付穴８ｂの断面積Ｓ４についても、上下方向に沿って一定に設定されており、流出口５０ａの流路断面積Ｓ３よりもわずかに大きく設定されている。
なお、本実施形態の排水弁装置１においては、便器本体部４と洗浄水タンク部６とが一体的に形成されたワンピースの水洗大便器２に適用した形態について説明するが、このような形態に限られず、適用されるワンピースの水洗大便器２の洗浄水タンク部６の貯水タンク８の底部８ａの取付穴８ｂと同一径と取付穴の貯水タンクを備えたツーピースの水洗大便器にも容易に適用することができるようになっている。
【００２８】
さらに、図８及び図１１においては、本実施形態の排水弁装置１の排水部本体部材４８の比較例による排水部本体部材の排水流路として、本実施形態の排水弁装置１の排水流路５０とは異なる仮想的な排水流路の側壁部の内側面とその延長面が鎖線Ｖ１で示されている。この比較例の排水部本体部材の排水流路においては、その流入口から流出口までの流路全域に亘って流路断面積Ｓ’が一定となっている。
また、比較例の排水部本体部材の排水流路の流路断面積Ｓ’は、本実施形態の排水弁装置１の排水流路５０の最内部Ｃ１，Ｃ２と同一の高さ位置Ｐにおける流路断面積であり、本実施形態の排水弁装置１の排水流路５０の最内部Ｃ１，Ｃ２における流路断面積Ｓ１に比べて、排水流路に固定部５８が設けられていない分、大きくなっている。
しかしながら、本実施形態の排水弁装置１においては、排水流路５０の最内部Ｃ１，Ｃ２と同一高さ位置Ｐよりも下流側領域の排水流路５０の側壁部５２の壁面（内側面５２ｃ）に形成されている湾曲部７６（下流側湾曲部７６ａ）により、固定部５８以外の部分の流路断面積Ｓ２が下流側に向かって流路断面積Ｓ１よりも徐々に拡大している。したがって、本実施形態の排水流路５０内に固定部５８が設けられていても、比較例による排水部本体部材を貯水タンク８の底部８ａの同一径の取付穴８ｂに取り付けた場合と比べても、ほぼ等しい瞬間流量を確保することができるようになっている。
【００２９】
また、更なる別の比較例による排水部本体部材の排水流路として、上述した比較例による排水部本体部材の排水流路の側壁部の内側面Ｖ１に本実施形態と同様な固定部５８が設けられたものと比べても、本実施形態の湾曲部７６（下流側湾曲部７６ａ）が形成する排水流路５０内の広がりのスペースによって、排水部本体部材４８の排水流路５０を流れる洗浄水の瞬間流量Ｑ［Ｌ／ｍｉｎ］を大きく設定することもできるようになっている。
さらに、本実施形態の排水弁装置１においては、本実施形態と同様な固定部５８及び湾曲部７６が形成されていない上述した比較例による排水部本体部材が本来取り付けられる貯水タンクの底部の取付穴及び排水口に対して、及び、本実施形態と同様な固定部５８が形成されており且つ本実施形態と同様な湾曲部７６が形成されていない更なる別の比較例による排水部本体部材が本来取り付けられる貯水タンクの底部の取付穴及び排水口に対しても、本実施形態の貯水タンク８の底部８ａの取付穴８ｂ及び排水口１０と同一径の取付穴及び排水口であれば、本実施形態の排水弁装置１の排水部本体部材４８を簡単に取り付けることができるようになっている。したがって、これらの別の排水部本体部材を貯水タンク８の底部８ａの取付穴８ｂに取り付けた場合と比べても、貯水タンク８から排水部本体部材４８の排水流路５０を経てワンピースの水洗大便器２の便器本体部４に供給する洗浄水の瞬間流量Ｑ［Ｌ／ｍｉｎ］を低下させることなく、比較的高い瞬間流量を確保することができるようになっている。
【００３０】
また、図６、図８及び図１１に示すように、排水流路５０においては、固定部５８の表面Ｆ１及び表面Ｆ２と同一の高さの側壁部５２の壁面（内側面５２ｃ）についても、下方の下流側湾曲部７６ａに連続する湾曲部７６を形成している。特に、固定部５８の表面Ｆ１と、この表面Ｆ１と同じ高さの側壁部５２の壁面（内側面５２ｃ）の湾曲部７６とによって形成される排水流路５０の領域Ｒ１においては、排水流路５０内の固定部５８以外の部分の流路断面積Ｓ５が固定部５８の高さ方向に沿ってほぼ同一になるように、固定部５８の表面Ｆ１と、これと同一の高さの側壁部５２の壁面（内側面５２ｃ）の湾曲部７６とが互いに湾曲状に形成されている。これにより、排水部本体部材４８の排水流路５０内に固定部５８が形成されていても、洗浄水Ｗ１が固定部５８の湾曲状の表面Ｆ１，Ｆ２や湾曲部７６の表面に沿って剥離することなく滑らかに流れることができるため、比較的高い瞬間流量を確保することができるようになっている。したがって、貯水タンク８から排水部本体部材４８の排水流路５０を経てワンピースの水洗大便器２の便器本体部４に比較的高い瞬間流量の洗浄水を供給することができるようになっている。
ちなみに、排水流路５０内の領域Ｒ１よりも下流（下方）側で且つ固定部５８の最内部Ｃ１，Ｃ２と同じ高さ位置Ｐよりも上方に形成される領域Ｒ２では、固定部５８以外の部分の流路断面積Ｓ６が、その上方の流路断面積Ｓ５よりも小さく、下方の流路断面積Ｓ１よりも大きく設定されている。
【００３１】
さらに、図５、図８及び図１１に示すように、排水部本体部材４８の排水流路５０は、側壁部５２の壁面（内側面５２ｃ）の上端部Ｄから上流の流入口５０ｂに向かう程、排水流路５０の流路断面積Ｓ７が拡大されるように形成されている。これにより、貯水タンク８内の洗浄水が排水部本体部材４８の排水流路５０の流入口５０ｂから流路５０内に流入する際に、流入口５０ｂから排水流路５０の壁面（内側面５２ｃ）に沿って剥離することなく滑らかに流れることができるようになっている。
また、図８及び図１１に示すように、排水部本体部材４８の排水流路５０の流入口５０ｂには、その上縁全周に亘って形成され且つ上方に突出する弁座７８が設けられている。
さらに、弁座７８には、弁体３４が当接可能に設けられており、図５に鎖線３４で示すように、弁体３４が弁座７８に当接して排水流路５０の流入口５０ｂを閉止した状態では、排水流路５０（排水口１０）が閉鎖された状態となり、貯水タンク８内の洗浄水が便器本体部４の導水路２０に供給されないようになっている。
【００３２】
図５に示すように、弁体３４は、上下方向に延びる排水弁軸部材８０の下端部に固定されている。この排水弁軸部材８０の上端部には、操作ワイヤ３２の下端接続部３２ａが上下方向に摺動可能に接続されるフック部８０ａが一体的に設けられている。
また、排水弁軸部材８０は、排水部本体部材４８の上方に設けられたハウジング８２内で上下動可能に設けられている。特に、排水弁軸部材８０は、操作装置２８の操作レバー３０の操作により１本の操作ワイヤ３２が引き上げられることによってフック部８０ａが引き上げられて上昇するようになっている。そして、弁体３４が排水弁軸部材８０と共に上昇するし、排水流路５０の流入口５０ｂが開放され、排水流路５０（排水口１０）が開放された状態となり、貯水タンク８内の洗浄水が便器本体部４の導水路２０に供給されるようになっている。
なお、図５に実線で示す弁体３４においては、弁座７８に対して最大の上昇高さ（最大ストローク）Ｈ１で引き上げられて大洗浄モードの便器洗浄が開始される状態を示している。ちなみに、図５では、小洗浄モードの便器洗浄が開始される状態の弁体３４の上昇高さをＨ２で示している。
【００３３】
また、図３〜図５に示すように、排水部本体部材４８は、弁座７８から外側に向かって所定間隔を置いた位置から排水部本体部材４８の上端部まで上下方向に延びる複数の支柱部８４を備え、これらの支柱部８４は、周方向に沿って所定間隔を置いて配置されており、隣り合う支柱部８４同士の間に排水弁装置１の外側の洗浄水を排水流路５０（排水口１０）へ流入させるための複数の連通口８６を形成している。
さらに、図３〜図５に示すように、ハウジング８２の側面には、複数の縦穴８２ａが形成され、ハウジング８２の内側とその外側の貯水タンク８の内部は、これらの複数の縦穴８２ａによって連通している。これにより、排水弁軸部材８０と弁体３４は、弁座７８に対して上昇している状態では、ハウジング８２内及び貯水タンク８内の水位の低下と共に、下降するようになっている。
なお、図５に示すように、ハウジング８２の内部には、排水弁軸部材８０及び弁体３４以外にも、大洗浄モードと小洗浄モードのそれぞれの場合の便器洗浄が開始されるタイミングを調整するための種々の関連部材等が設けられているが、これらの関連部材については、省略しても、操作ワイヤ３２による排水弁軸部材８０及び弁体３４の引き上げ機能は最低限確保することができるため、説明は省略する。
【００３４】
また、図３及び図５に示すように、排水弁装置１の大洗浄モードにおける弁体３４の開弁時の状態では、使用者が操作装置２８の操作レバー３０を所定の大洗浄モードを実行する方向に回転操作すると、操作装置２８のワイヤ巻取り装置４６により操作ワイヤ３２が所定の最大量の巻き取り量で巻き取られ、排水弁軸部材８０及び弁体３４が小洗浄モード開始時の上昇高さＨ２よりも高い最大の上昇高さ（最大ストローク）Ｈ１で引き上げられ（Ｈ１＞Ｈ２）、貯水タンク８内から比較的多い洗浄水量の洗浄水がワンピースの水洗大便器２の便器本体部４の導水路２０に供給され、大洗浄モードによる便器洗浄が開始されるようになっている。
【００３５】
一方、図３及び図５に示すように、排水弁装置１の小洗浄モードにおける弁体３４の開弁時の状態では、使用者が操作レバー３０を所定の小洗浄モードを実行する方向に回転操作すると、操作装置２８のワイヤ巻取り装置４６により大洗浄モードの場合の最大巻き取り量よりも少ない巻き取り量で巻き取られ、排水弁軸部材８０及び弁体３４が、大洗浄モード開始時の最大上昇高さ（最大ストローク）Ｈ１よりも低い小洗浄モード開始時の上昇高さＨ２で引き上げられ、貯水タンク８内から大洗浄モードによる洗浄水量よりも少ない洗浄水量の洗浄水がワンピースの水洗大便器２の便器本体部４の導水路２０に供給され、小洗浄モードによる便器洗浄が開始されるようになっている。
【００３６】
また、図３及び図５に示すように、排水弁装置１においては、大洗浄モードと小洗浄モードのそれぞれの操作ワイヤ３２の引き上げ量に応じて弁体３４が操作ワイヤ３２により引き上げられた後、所定の動作をしながら、水位の低下と共にさらに下降するようになっている。そして、図５に鎖線で示すように、弁体３４が弁座７８に当接して、排水口１０、より厳密には、排水流路５０の流入口５０ｂが閉止された状態となり、排水弁装置１の大洗浄モード又は小洗浄モードにおける排水が終了するようになっている。そして、貯水タンク８内の洗浄水は、給水装置２６による給水によって、所定の止水水位（満水水位Ｗ０）まで貯水されるようになっている。
【００３７】
つぎに、図１〜図１２を参照して、本発明の一実施形態による排水弁装置の動作及び作用について説明する。
図１〜図１１に示すように、使用者が操作装置２８の操作レバー３０を所定の方向に回転操作し、大洗浄モード又は小洗浄モードのいずれかの洗浄モードによる便器洗浄を開始すると、操作装置２８のワイヤ巻取り装置４６により操作ワイヤ３２が巻き取られて引き上げられ、大洗浄モードの場合には、排水弁軸部材８０及び弁体３４が最大の上昇高さＨ１まで上昇し、小洗浄モードの場合には、排水弁軸部材８０及び弁体３４が最大の上昇高さＨ１よりも低い所定の上昇高さＨ２まで上昇し、排水部本体部材４８の排水流路５０の流入口５０ｂが開放される。
そして、貯水タンク８内の洗浄水が排水部本体部材４８の連通口８６の外側から内部に流入し、排水流路５０の流入口５０ｂから排水流路５０内に流入すると共に、ハウジング８２内の洗浄水についても、排水流路５０の流入口５０ｂから排水流路５０内に流入する。
【００３８】
つぎに、図１０及び図１１に示すように、排水流路５０の流入口５０ｂから排水流路５０内に流入した洗浄水Ｗ１は、所定の瞬間流量Ｑ１以上の比較的高い所定の瞬間流量（例えば、Ｑ１＝２００［Ｌ／ｍｉｎ］）を維持した状態で、流入口５０ｂから排水流路５０の壁面（内側面５２ｃ）に沿って剥離することなく滑らかに流れる。そして、固定部５８を通過する際には、所定の瞬間流量Ｑ１以上の比較的高い所定の瞬間流量（例えば、Ｑ１＝２００［Ｌ／ｍｉｎ］）を維持した状態で、固定部５８の湾曲状の表面Ｆ１，Ｆ２に沿って剥離することなく滑らかに流れる。
一方、固定部５８付近を通過しないが、排水流路５０の壁面（内側面５２ｃ）に沿って流れる洗浄水Ｗ１についても、所定の瞬間流量Ｑ１以上の比較的高い所定の瞬間流量（例えば、Ｑ１＝２００［Ｌ／ｍｉｎ］）を維持した状態で、湾曲部７６の表面に沿って下流側湾曲部７６ａに剥離することなく滑らかに流れる。そして、下方に向かって徐々に外側に末広がりに湾曲する下流側湾曲部７６ａの表面に沿って流れる洗浄水Ｗ１は、流出口５０ａから、所定の瞬間流量Ｑ１以上の比較的高い所定の瞬間流量（例えば、Ｑ１＝２００［Ｌ／ｍｉｎ］）を維持した状態で流出し、便器本体部４の導水路２０に供給される。導水路２０の洗浄水は、第１リム吐水口２２及び第２リム吐水口２４のそれぞれから吐水され、ボウル部１２が洗浄され、汚物が排水トラップ管路１８から排出される。
【００３９】
つぎに、図１２は、本発明の一実施形態による排水弁装置を用いて排水部本体部材の排水流路の流出口の流路断面積と瞬間流量との関係を実験的に調べた結果を定性的に示した図である。
ここで、図１２の横軸は、本実施形態の排水弁装置１の排水部本体部材４８の排水流路５０の流出口５０ａの流路断面積Ｓ３［ｍｍ2］を示し、図１２の縦軸は、本実施形態の排水弁装置１の排水部本体部材４８の排水流路５０の流出口５０ａにおける瞬間流量Ｑ［Ｌ／ｍｉｎ］を示している。
図１２に示すように、本実施形態の排水弁装置１の排水部本体部材４８の排水流路５０の流出口５０ａの流路断面積Ｓ３を所定の流路断面積Ｓ０（例えば、Ｓ０＝２６００［ｍｍ2］）に設定しているときには、瞬間流量Ｑが最大の瞬間流量Ｑ１（例えば、Ｑ１＝２００［Ｌ／ｍｉｎ］）となり、十分な便器洗浄性能が確保される理想的な瞬間流量が得られていることがわかる。
ちなみに、比較例として、排水部本体部材の排水流路の流入口から流出口までの流路全域に亘って流路断面積Ｓ’を一定とし、排水流路５０の流出口５０ａの流路断面積Ｓ３を所定の流路断面積Ｓ’（例えば、Ｓ’＝２３００［ｍｍ2］）に設定しているときには、瞬間流量Ｑが最大の瞬間流量Ｑ１よりも小さい瞬間流量Ｑ２（例えば、Ｑ２＝１６０［Ｌ／ｍｉｎ］）となり、瞬間流量Ｑ１のときに比べて、十分な便器洗浄性能が得られにくい瞬間流量となっていることがわかる。
また、流路断面積Ｓ３を流路断面積Ｓ０よりも大きく設定する程、排水流路５０の流出口５０ａの下方の便器本体部４の導水路２０内の空気が排水流路５０内に巻き込まれやすくなることにより、その分、瞬間流量Ｑが最大の瞬間流量Ｑ１よりも低下してしまう傾向にあるため、排水流路５０の流出口５０ａの流路断面積Ｓ３を大きく設定しすぎないように注意すべきであることもわかった。
【００４０】
上述した本発明の一実施形態による排水弁装置１によれば、固定部５８の最内部Ｃ１，Ｃ２と同じ高さにある排水部本体部材４８の排水流路５０内の固定部５８以外の部分の流路断面積Ｓ１は最小となっているが、これらの最内部Ｃ１，Ｃ２よりも下流側領域の排水流路５０を形成する側壁部５２の壁面（内側面５２ｃ）においては、固定部５８以外の部分の流路断面積Ｓ２が下流側に向かって徐々に拡大されるように、下方に向かって徐々に外側に末広がりに湾曲する湾曲部７６（下流側湾曲部７６ａ）が形成されているため、固定部５８が排水部本体部材４８の排水流路５０内に突出するように形成されていても、排水部本体部材４８の排水流路５０内を通過する洗浄水の瞬間流量Ｑ［Ｌ／ｍｉｎ］について、比較的高い瞬間流量を確保することができる。
例えば、図８及び図１１に鎖線Ｖ１で示す比較例による排水流路のように、その側壁部の内側面Ｖ１が鉛直方向に延び、固定部５８が設けられておらず且つその排水流路の流路断面積Ｓ’が流入口から流出口までの流路全域でほぼ一定である排水部本体部材を貯水タンク８の底部８ａの同一径の取付穴８ｂに取り付けた場合とほぼ等しい瞬間流量を確保することができる。
また、更なる別の比較例による排水部本体部材の排水流路として、その側壁部の内側面Ｖ１が鉛直方向に延び、排水流路内に本実施形態と同様な固定部５８が設けられ、排水流路の側壁部の内側面Ｖ１に本実施形態と同様な湾曲部７６が形成されていないものと比べても、湾曲部７６によって形成される排水流路５０内のスペースによって排水部本体部材４８の排水流路５０を流れる洗浄水の瞬間流量Ｑ［Ｌ／ｍｉｎ］を大きく設定することもできる。
したがって、貯水タンク８から排水部本体部材４８の排水流路５０内に流入した洗浄水をワンピースの水洗大便器２の便器本体部４に効率的に供給することができ、ワンピースの水洗大便器２の洗浄性能を向上させることができる。
【００４１】
さらに、本実施形態の排水弁装置１によれば、排水部本体部材４８とは異なる比較例による排水流路の鉛直方向に延びる側壁部の内側面Ｖ１に本実施形態と同様な固定部５８が設けられていない排水部本体部材が本来取り付けられる貯水タンクの排水口に対して、本実施形態の排水弁装置１が適用される排水口１０と同一径の排水口であれば、本実施形態の排水弁装置１の排水部本体部材４８を貯水タンクの底部の取付穴に簡単に取り付けることができる。また、排水部本体部材４８とは異なる更なる別の比較例による排水流路の鉛直方向に延びる側壁部の内側面Ｖ１に本実施形態と同様な固定部５８が設けられているが、本実施形態と同様な湾曲部７６が形成されていない排水部本体部材が本来取り付けられる貯水タンクの排水口に対しても、本実施形態の排水弁装置１が適用される排水口１０と同一径の排水口であれば、本実施形態の排水弁装置１の排水部本体部材４８を貯水タンクの底部の取付穴に簡単に取り付けることができる。したがって、これらの別の排水部本体部材を貯水タンク８の底部８ａの取付穴８ｂに取り付けた場合と比べても、貯水タンク８から排水部本体部材４８の排水流路５０を経てワンピースの水洗大便器２の便器本体部４に供給する洗浄水の瞬間流量Ｑ［Ｌ／ｍｉｎ］を低下させることなく、比較的高い瞬間流量を確保することができる。したがって、種々の便器や貯水タンクに対しても排水弁装置１を共通化させて適用することができ、使い勝手がよい。
【００４２】
また、本実施形態による排水弁装置１によれば、排水部本体部材４８の排水流路５０を形成する固定部５８の表面Ｆ１，Ｆ２が互いに連続的に湾曲状に形成され、表面Ｆ１と表面Ｆ２の双方全体がほぼ半球面状に形成されているため、貯水タンク８内の洗浄水が排水部本体部材４８の流入口５０ｂから排水流路５０内に流入し、固定部５８の湾曲状の表面Ｆ１，Ｆ２を通過する際、洗浄水が固定部５８の湾曲状の表面Ｆ１，Ｆ２に沿って剥離することなく滑らかに流れることができる。よって、貯水タンク８からワンピースの水洗大便器２の便器本体部４に比較的高い瞬間流量の洗浄水を供給することができる。したがって、排水部本体部材４８の排水流路５０内に固定部５８が形成されていても、貯水タンク８から排水部本体部材４８の排水流路５０内に流入して固定部５８を通過する洗浄水の流れが阻害されることなく、ワンピースの水洗大便器２の便器本体部４に比較的高い瞬間流量の洗浄水を供給することができ、ワンピースの水洗大便器２の洗浄性能を向上させることができる。
【００４３】
さらに、本実施形態による排水弁装置１によれば、排水部本体部材４８の排水流路５０において、各皿ねじ６０，６２の頭部６０ａ，６２ａの各頂点Ａ１，Ａ２から各皿ねじ取付部６８，７０表面の上端部Ｂまでの表面Ｆ１と、この表面Ｆ１の領域と同一の高さの側壁部５２の壁面（内側面５２ｃ）の湾曲部７６のそれぞれが、排水流路５０内の固定部５８以外の部分の流路断面積Ｓ５が固定部５８の高さ方向に沿ってほぼ同一になるように互いに湾曲状に形成されている領域Ｒ１を備えているため、排水部本体部材４８の排水流路５０内に固定部５８が形成されていても、洗浄水Ｗ１が固定部５８の湾曲状の表面Ｆ１，Ｆ２や湾曲部７６の表面に沿って剥離することなく滑らかに流れることができるため、比較的高い瞬間流量を確保することができる。したがって、貯水タンク８から排水部本体部材４８の排水流路５０を経てワンピースの水洗大便器２の便器本体部４に比較的高い瞬間流量の洗浄水を供給することができ、ワンピースの水洗大便器２の洗浄性能を向上させることができる。
【００４４】
また、本実施形態による排水弁装置１によれば、排水部本体部材４８の排水流路５０が、その側壁部５２の壁面（内側面５２ｃ）の上端部Ｄから上流の流入口５０ｂに向かう程、排水流路５０の流路断面積Ｓ２が拡大されるように形成されているため、貯水タンク８内の洗浄水Ｗ１が排水部本体部材４８の排水流路５０の流入口５０ｂから流路５０内に流入する際に、流入口５０ｂから排水流路５０の壁面（内側面５２ｃ）に沿って剥離することなく滑らかに流れることができる。したがって、貯水タンク８から排水部本体部材４８の排水流路５０を経て便器本体部４に比較的高い瞬間流量の洗浄水を供給することができ、ワンピースの水洗大便器２の洗浄性能を向上させることができる。
【００４５】
さらに、本実施形態による排水弁装置１によれば、洗浄水タンク部６の排水口１０に排水弁装置１を取り付けることにより、洗浄水タンク部６から便器本体部４に比較的高い瞬間流量の洗浄水を供給することができ、便器の洗浄性能を向上させることができるワンピースの水洗大便器２を提供することができる。
【符号の説明】
【００４６】
１      排水弁装置
２      ワンピースの水洗大便器
４      便器本体部（便器本体）
６      洗浄水タンク部（洗浄水タンク）
８      貯水タンク
８ａ    貯水タンクの底部
８ｂ    貯水タンクの底部の取付穴（洗浄水タンクの排水口）
８ｃ    貯水タンクの底部の上側面
８ｄ    貯水タンクの底部の下側面
１０      排水口
１２      ボウル部
１４      リム部
１４ａ    リム部の後壁面
１６      棚部
１８      排水トラップ管路
１８ａ    排水トラップ管路の入口
１８ｂ    排水トラップ管路の上昇管
１８ｃ    排水トラップ管路の下降管
２０      導水路
２０ａ    導水路の分岐領域
２０ｂ    第１導水路
２０ｃ    第２導水路
２２      第１リム吐水口
２４      第２リム吐水口
２６      給水装置
２８      操作装置
３０      操作レバー
３２      操作ワイヤ
３２ａ    操作ワイヤの下端接続部
３４      弁体（排水弁体）
３６      給水管
３８      給水バルブ
４０      フロート
４２      吐水口
４４      オーバーフロー管
４４ａ    オーバーフロー管内の下方流路
４６      ワイヤ巻取り装置
４６ａ    ケーシング
４８      排水部本体部材（排水部本体）
５０      排水流路（排水部本体の流路）
５０ａ    排水流路の流出口
５０ｂ    排水流路の流入口
５２      排水部本体部材の側壁部
５２ａ    排水部本体部材の側壁部の外側面
５２ｂ    排水部本体部材の側壁部の下端面
５２ｃ    排水部本体部材の側壁部の内側面
５４      排水部本体部材のベース部
５６      シール部材
５８      固定部
６０      皿ねじ（固定部）
６０ａ    皿ねじの頭部
６２      皿ねじ（固定部）
６２ａ    皿ねじの頭部
６４      取付穴
６６      取付穴
６８      皿ねじ取付部（固定部）
７０      皿ねじ取付部（固定部）
７２      固定金具（固定部）
７２ａ    固定金具の外側先端部
７２ｂ    固定金具の外側先端部の上面
７４      固定金具（固定部）
７４ａ    固定金具の外側先端部
７４ｂ    固定金具の外側先端部の上面
７６      湾曲部
７６ａ    下流側湾曲部
７８      弁座
８０      排水弁軸部材
８０ａ    フック部
８２      ハウジング
８４      支柱部
８６      連通口
Ａ１    皿ねじの頭部の頂点
Ａ２    皿ねじの頭部の頂点
Ｂ１    皿ねじ取付部の上端部
Ｂ２    皿ねじ取付部の上端部
Ｃ１    固定部の最内部
Ｃ２    固定部の最内部
Ｄ      排水流路の側壁部の内側面の上端部
Ｆ１    皿ねじの頭部の表面
Ｆ２    皿ねじ取付部の上端部から最内部までの表面
Ｈ１    大洗浄モード開始時の排水弁軸部材及び弁体の上昇高さ
Ｈ２    小洗浄モード開始時の排水弁軸部材及び弁体の上昇高さ
Ｐ      排水流路の側壁部の内側面における固定部の最内部と同じ高さの位置
Ｑ      瞬間流量  
Ｑ１    最大瞬間流量  
Ｑ２    瞬間流量
Ｒ１    排水流路内の領域
Ｒ２    排水流路内の領域
Ｓ０    排水流路の流出口の断面積
Ｓ１    排水流路内の流路断面積
Ｓ２    排水流路内の流路断面積
Ｓ３    排水流路内の流路断面積
Ｓ４    排水流路内の流路断面積
Ｓ５    排水流路内の流路断面積
Ｓ６    排水流路内の流路断面積
Ｓ７    排水流路内の流路断面積
Ｓ’    比較例による排水流路の流路断面積
Ｖ１    比較例による排水流路の側壁部の内側面とその延長面
【図１】
0006447806.tif 000002
【図２】
0006447806.tif 000003
【図３】
0006447806.tif 000004
【図４】
0006447806.tif 000005
【図５】
0006447806.tif 000006
【図６】
0006447806.tif 000007
【図７】
0006447806.tif 000008
【図８】
0006447806.tif 000009
【図９】
0006447806.tif 000010
【図１０】
0006447806.tif 000011
【図１１】
0006447806.tif 000012
【図１２】
0006447806.tif 000013